(57)【要約】【課題】回路規模を節約しつつ、処理遅延による伝送効率低下を抑えることができる送受信回路を得ること。【解決手段】送信と受信とを交互に繰り返し、送信処理および受信処理で共用する共用処理を実施するＩＦＦＴ／ＦＦＴ３を備える送受信回路であって、１回の送信時間帯で送信する送信データを、先頭から所定のデータ長の第１の分割データと、第１の分割データ以外のデータである第２の分割データと、に分割する分割手段と、第１の分割データを保持する送信信号メモリ６と、を備え、ＩＦＦＴ／ＦＦＴ３は、第１の分割データに対する共用処理を、前回の送信時間帯の送信データに対する共用処理の終了後から、第１の分割データを送信する送信時間帯の直前の受信時間帯で受信した受信データに対する共用処理の開始時間までの間に実施する。【選択図】図１
2010273034.tif 000002
【特許請求の範囲】
【請求項１】
送信データを送信する送信時間帯と受信データを受信する受信時間帯とを交互に繰り返す通信装置において、送信処理および受信処理で共用する所定の共用処理を実施する共用処理手段を備える送受信回路であって、
前記送信処理における前記共用処理手段の前段で、１回の送信時間帯で送信する送信データである処理対象送信データを、先頭から所定のデータ長分のデータである第１の分割データと、前記送信データのうち前記第１の分割データ以外のデータである第２の分割データと、に分割する分割手段と、
前記第１の分割データを保持するための記憶手段と、
を備え、
前記共用処理手段は、前記記憶手段に保持されている前記第１の分割データに対する前記共用処理を、前回の送信時間帯の処理対象送信データに対する前記共用処理の終了後から、前記第１の分割データを送信する予定の送信時間帯の直前の受信時間帯で受信した受信データに対する前記共用処理の開始時間までの間に実施することを特徴とする送受信回路。
【請求項２】
送信データを送信する送信時間帯と受信データを受信する受信時間帯とを交互に繰り返す通信装置において、送信処理および受信処理で共用する所定の共用処理を実施する共用処理手段を備える送受信回路であって、
前記受信処理における前記共用処理手段の前段で、１回の受信時間帯で受信する受信データである処理対象受信データを、末尾から所定のデータ長分のデータである第１の分割データと、前記送信データのうち前記第１の分割データ以外のデータである第２の分割データと、に分割する分割手段と、
前記第１の分割データを保持するための記憶手段と、
を備え、
前記共用処理手段は、前記記憶手段に保持されている前記第１の分割データに対する前記共用処理を、直前の送信時間帯に送信する送信データに対する前記共用処理の終了後から、前記第１の分割データを受信した受信時間帯の次の受信時間帯で受信した受信データに対する前記共用処理の開始時間までの間に実施することを特徴とする送受信回路。
【請求項３】
前記共用処理後の前記第１の分割データおよび前記第２の分割データを統合して、１つの前記共用処理後のデータとすることを特徴とする請求項１または２に記載の送受信回路。
【請求項４】
前記送信処理および前記受信処理を構成する各処理の処理時間に基づいて、前記第１の分割データのデータ長と、前記第１の分割データに対する前記共用処理を開始する開始時間と、を決定する制御手段、
をさらに備え、
前記分割手段は前記制御手段が決定したデータ長に基づいてデータを分割し、前記共用処理手段は、前記制御手段が決定した開始時間に基づいて前記第１の分割データに対する前記共用処理を実施することを特徴とする請求項１、２または３に記載の送受信回路。
【請求項５】
前記制御手段は、前記共用処理手段が、前記受信データに対して共用処理を行う処理時間帯と、前記送信データに対して共用処理を行う処理時間帯と、が重複しないよう前記送信処理および前記受信処理を構成する各処理の開始時間を制御することを特徴とする請求項４に記載の送受信回路。
【請求項６】
前記通信装置を、送信データをＯＦＤＭ無線信号として送信し、前記受信データをＯＦＤＭ無線信号として受信する通信装置とし、
前記共用処理手段は、前記共用処理としてＦＦＴ処理およびＩＦＦＴ処理を行うことを特徴とする請求項１〜５のいずれか１つに記載の送受信回路。
【請求項７】
前記共用処理手段を、低帯域通過フィルタとすることを特徴とする請求項１〜５のいずれか１つに記載の送受信回路。
【請求項８】
送信データを送信する送信時間帯と受信データを受信する受信時間帯とを交互に繰り返す通信装置であって、
請求項１〜７のいずれか１つに記載の送受信回路を備えることを特徴とする通信装置。
【請求項９】
送信データを送信する送信時間帯と受信データを受信する受信時間帯とを交互に繰り返す通信装置において、送信処理および受信処理で共用する所定の共用処理を実施する共用処理手段を備える送受信回路における送受信方法であって、
前記送信処理における前記共用処理手段の前段で、１回の送信時間帯で送信する送信データである処理対象送信データを、先頭から所定のデータ長分のデータである第１の分割データと、前記送信データのうち前記第１の分割データ以外のデータである第２の分割データと、に分割する分割ステップと、
前記第１の分割データを保持するための記憶ステップと、
を備え、
前記共用処理手段は、前記記憶ステップで保持した前記第１の分割データに対する前記共用処理を、前回の送信時間帯の処理対象送信データに対する前記共用処理の終了後から、前記第１の分割データを送信する予定の送信時間帯の直前の受信時間帯で受信した受信データに対する前記共用処理の開始時間までの間に実施する共用処理ステップと、
を含むことを特徴とする送受信方法。
【請求項１０】
送信データを送信する送信時間帯と受信データを受信する受信時間帯とを交互に繰り返す通信装置において、送信処理および受信処理で共用する所定の共用処理を実施する共用処理手段を備える送受信回路における送受信方法であって、
前記受信処理における前記共用処理手段の前段で、１回の受信時間帯で受信する受信データである処理対象受信データを、末尾から所定のデータ長分のデータである第１の分割データと、前記送信データのうち前記第１の分割データ以外のデータである第２の分割データと、に分割する分割ステップと、
前記第１の分割データを保持するための記憶ステップと、
を備え、
前記共用処理手段は、前記記憶ステップで保持した前記第１の分割データに対する前記共用処理を、直前の送信時間帯に送信する送信データに対する前記共用処理の終了後から、前記第１の分割データを受信した受信時間帯の次の受信時間帯で受信した受信データに対する前記共用処理の開始時間までの間に実施する共用処理ステップと、
を含むことを特徴とする送受信方法。
【発明の詳細な説明】
【技術分野】
【０００１】
本発明は、時分割複信（ＴＤＤ：Time  Division  Duplex）方式を採用する通信システムにおける送受信回路、通信装置および送受信方法に関する。
【背景技術】
【０００２】
従来の送受信回路では、信号の送信と受信の両方で共通する処理に関して同一回路を共用化し、送信処理と受信処理を時分割して処理することによって、回路規模を節約している（たとえば、下記特許文献１，２参照）。送信と受信の両方で共通する処理としては、たとえば、無線通信で用いる低域通過フィルタの処理や、直交周波数分割多重（ＯＦＤＭ：Orthogonal  Frequency  Division  Multiplexing）無線通信で用いる高速フーリエ変換（ＦＦＴ：Fast  Fourier  Transform）および逆高速フーリエ変換（ＩＦＦＴ:Inverse  Fast  Fourier  Transform）の処理などが該当する。
【０００３】
たとえば、ＯＦＤＭ無線送受信回路の一例として、送信処理のＩＦＦＴ処理と受信処理のＦＦＴ処理とを行う回路をＦＦＴ／ＩＦＦＴ共用回路として共用化する例について説明する。このＯＦＤＭ無線送受信回路では、送信処理として、送信データＤｔ（ｋ）（ｋはサブフレームを識別する番号）に伝送路符号化処理、ＩＦＦＴ処理および無線送信処理を施して信号Ｓｔ（ｋ）として無線通信網を送信する処理を行う。また、受信処理として、無線通信網から受信した信号Ｓｒ（ｋ）に無線受信処理、ＦＦＴ処理および伝送路復号化処理を施して受信データＤｒ（ｋ）を得る処理を行う。
【０００４】
このようなＯＦＤＭ無線送受信回路では、ＦＦＴ／ＩＦＦＴ共用回路は、送信処理と受信処理のいずれか一方の処理中には、他方の処理ができない。そのため、ＦＦＴ／ＩＦＦＴ共用回路に入力するデータを、送信処理のデータと受信処理のデータとの間で切替えて処理を行う。この際、送信処理でＦＦＴ／ＩＦＦＴ共用回路を用いる時間と受信処理でＦＦＴ／ＩＦＦＴ共用回路を用いる時間とが重ならないよう処理時間を調整する。
【先行技術文献】
【特許文献】
【０００５】
【特許文献１】国際公開第２００８／１２９６６５号
【特許文献２】特開平５−１２９９８４号公報
【発明の概要】
【発明が解決しようとする課題】
【０００６】
しかしながら、上記従来の送信処理と受信処理で回路を共用する技術によれば、送信処理と受信処理とで共用回路を同時に用いないよう処理時間を調整する。そのため、処理遅延により伝送効率が低下する、という問題があった。
【０００７】
たとえば、上記のＯＦＤＭ無線送受信回路の場合に、無線通信網からの受信信号の受信終了からその受信信号のＦＦＴ処理の処理終了までの時間を処理遅延Ｔｒとし、送信信号のＩＦＦＴ処理の処理開始からその送信信号の無線通信網への送信開始までの時間を処理遅延Ｔｔとおく。送信処理と受信処理でＦＦＴ／ＩＦＦＴ共用回路の処理時間が重複しないためには、受信処理と送信処理とを切替える際の待ち時間である受信／送信切り替え期間の長さＬｒｔを、Ｔｒ＋Ｔｔ以上としなければならない。したがって、よって、無線送信処理、無線受信処理、ＦＦＴ／ＩＦＦＴ共用回路の処理時間が大きいほどＬｒｔを大きくする必要があり、それによって伝送効率が低下する。
【０００８】
本発明は、上記に鑑みてなされたものであって、送信処理と受信処理とで共通する処理がある場合に、回路規模を節約しつつ、処理遅延による伝送効率低下を抑えることができる送受信回路、通信装置および送受信方法を得ることを目的とする。
【課題を解決するための手段】
【０００９】
上述した課題を解決し、目的を達成するために、本発明は、送信データを送信する送信時間帯と受信データを受信する受信時間帯とを交互に繰り返し、送信処理および受信処理で共用する所定の共用処理を実施する共用処理手段を備える通信装置における送受信回路であって、前記送信処理における前記共用処理手段の前段で、１回の送信時間帯で送信する送信データである処理対象送信データを、先頭から所定のデータ長分のデータである第１の分割データと、前記送信データのうち前記第１の分割データ以外のデータである第２の分割データと、に分割する分割手段と、前記第１の分割データを保持するための記憶手段と、を備え、前記共用処理手段は、前記記憶手段に保持されている前記第１の分割データに対する前記共用処理を、前回の送信時間帯の処理対象送信データに対する前記共用処理の終了後から、前記第１の分割データを送信する予定の送信時間帯の直前の受信時間帯で受信した受信データに対する前記共用処理の開始時間までの間に実施することを特徴とする。
【発明の効果】
【００１０】
本発明によれば、１回の送信時間帯で送信する送信データを分割することとし、前回の送信時間帯で送信する送信データに対する共用回路の処理終了後、受信時間帯で受信する受信データに対する共用回路の処理開始前に、分割した前半のデータが共用回路で処理されるよう分割データの長さと各処理のタイミングを決定するようにしたので、回路規模を節約しつつ、処理遅延による伝送効率低下を抑えることができる、という効果を奏する。
【図面の簡単な説明】
【００１１】
【図１】図１は、実施の形態１の送受信回路の機能構成例を示す図である。
【図２】図２は、実施の形態１の各処理のタイミングを示すタイミングチャート図である。
【図３】図３は、実施の形態２の送受信回路の機能構成例を示す図である。
【図４】図４は、実施の形態２の各処理のタイミングを示すタイミングチャート図である。
【発明を実施するための形態】
【００１２】
以下に、本発明にかかる送受信回路、通信装置および送受信方法の実施の形態を図面に基づいて詳細に説明する。なお、この実施の形態によりこの発明が限定されるものではない。
【００１３】
実施の形態１．
図１は、本発明にかかる送受信回路の実施の形態１の機能構成例を示す図である。本実施の形態の送受信回路は、ＯＦＤＭ信号を送受信する無線送受信回路であり、図１に示すように、伝送路符号化回路１，スイッチ回路（ＳＷ）２，４，５，ＩＦＦＴ／ＦＦＴ回路（ＩＦＦＴ／ＦＦＴ）３，送信信号メモリ６，無線送信処理回路７，無線受信処理回路８，伝送路復号化回路９で構成される。
【００１４】
図２は、本実施の形態の各処理のタイミングを示すタイミングチャート図である。図１および図２を用いて本実施の形態の送受信処理を説明する。本実施の形態の送受信回路は、無線通信網に対して無線送信信号Ｓｔ（ｋ）を送信する送信時間帯と、無線通信網から無線受信信号Ｓｒ（ｋ）を受信する受信時間帯と、を切替えて動作する。また、送信時間帯と受信時間帯との切り替えの際に必要な切替えのための空き時間（送信時間帯でも受信時間帯でもない）を切り替え時間Ｌｒｔとすする。
【００１５】
伝送路符号化回路１は、送信データに対して伝送路符号化処理を行う。スイッチ回路２は、ＩＦＦＴ／ＦＦＴ回路３へ入力するデータを伝送路符号化処理後の送信データと、無線受信処理部８から出力される受信データと、の間で切り替える。ＩＦＦＴ／ＦＦＴ回路３は、入力されたデータに対してＩＦＦＴ処理またはＦＦＴ処理を実施する。スイッチ回路４は、ＩＦＦＴ／ＦＦＴ回路３の処理後のデータの出力先を、伝送路復号化回路９と、スイッチ回路５と、の間で切り替える。
【００１６】
また、スイッチ回路５は、スイッチ回路４から入力されたデータを送信信号メモリ６へ出力する状態と、送信信号メモリ６からの出力を無線送信処理回路７へ出力する状態と、の間で切り替える。伝送路復号化回路９は、ＩＦＦＴ／ＦＦＴ回路３でＦＦＴ処理された受信データに対して伝送路復号化処理を行う。無線送信処理部７は、ＩＦＦＴ／ＦＦＴ回路３でＩＦＦＴ処理された送信データに対して所定の送信処理を実施して無線送信信号として無線通信網に出力する。また、無線送信受信部８は、無線通信網から受信した無線受信信号に所定の受信処理を実施してスイッチ回路２へ出力する。
【００１７】
また、ここでは、サブフレームごとに、送信時間帯と受信時間帯とを切替えることとし、ｋ番目の送信時間帯に送信される送信サブフレームである送信サブフレーム＃ｋの送信処理の前後の処理について説明する。なお、ここでは、サブフレームのデータ長などに基づいて、送信時間帯と受信時間帯のそれぞれの長さはあらかじめ決定されているとする。送信サブフレーム＃ｋ−１は、送信サブフレーム＃ｋの前に送信される送信サブフレームを示し、送信サブフレーム＃ｋ＋１送信サブフレーム＃ｋの次に送信される送信サブフレームを示している。受信サブフレーム＃ｋはｋ番目の受信時間帯に受信される受信サブフレームとする。なお、ここでは、受信サブフレーム＃ｋを受信した後に、送信サブフレーム＃ｋの送信を行うようにしているが、これに限らず、ｋ番目の送信サブフレーム＃ｋを送信した後に受信サブフレーム＃ｋを受信する、すなわち送信時間帯と受信時間帯の順番を逆にしてもよい。
【００１８】
まず、本実施の形態では、伝送路符号化回路１が、１サブフレーム分の送信データＤｔ（ｋ）を２分割し、分割した送信データのうち時間的に先に送信する側をＤｔ０（ｋ）とし、後に送信する側をＤｔ１（ｋ）とする。時刻Ｋｔ０に送信データＤｔ０（ｋ）の送信処理として、まず、伝送路符号化回路１が送信データＤｔ０（ｋ）に伝送路符号化処理を施す（図２の１段目）。送信処理では、スイッチ回路２は、伝送路符号化回路１から出力される伝送路符号化処理後の送信データをＩＦＦＴ／ＦＦＴ回路３へ出力することとする。
【００１９】
つぎに、ＩＦＦＴ／ＦＦＴ回路３が、伝送路符号化処理後の送信データにＩＦＦＴ処理を施し（図２の２段目）、ＩＦＦＴ処理後の送信データＭｔ０（ｋ）をスイッチ回路４へ出力する。スイッチ回路４は送信処理ではデータの出力先をスイッチ回路５とする。また、スイッチ回路５は、この時点ではスイッチ回路４から出力されるデータを送信信号メモリ６に出力されるよう接続している。したがって、ＩＦＦＴ処理後の送信データＭｔ０（ｋ）は送信信号メモリ６へ書き込む。
【００２０】
そして、時刻Ｋｔ２になると、スイッチ回路５は、送信信号メモリ６の出力が無線送信処理回路７に出力されるよう接続し、無線送信処理回路７は、送信信号メモリ６に格納されているＭｔ０（ｋ）の読み出しを開始する。時刻Ｋｔ２の決定方法については後述する。また、時刻Ｋｔ１に、送信データＤｔ１（ｋ）の送信処理として、まず、伝送路符号化回路１が送信データＤｔ１（ｋ）に伝送路符号化処理を施す開始の送信処理を開始する。そして、伝送路符号化回路１は時刻Ｋｔ３に、伝送路符号化処理後のデータをスイッチ回路２経由でＩＦＦＴ／ＦＦＴ回路３へ出力する。ＩＦＦＴ／ＦＦＴ回路３は、伝送路符号化処理後の送信データにＩＦＦＴ処理を施し、ＩＦＦＴ処理後のデータＭｔ１（ｋ）として、スイッチ回路４，スイッチ回路５経由で無線送信処理部７へ出力する。
【００２１】
無線送信処理回路７は、送信信号メモリ６から読み出したＭｔ０（ｋ）と、ＩＦＦＴ／ＦＦＴ回路３から出力されたＭｔ１（ｋ）と、に対して所定の無線送信処理を施し、送信サブフレーム＃ｋで、送信信号Ｓｔ（ｋ）として無線通信網へ送信する。Ｍｔ０（ｋ）とＭｔ１（ｋ）は、送信データＤｔ（ｋ）が２分割されたＤｔ０（ｋ），Ｄｔ１（ｋ）に対し、それぞれ伝送路符号化処理およびＩＦＦＴ処理を施したデータであるため、無線送信処理回路７は、送信サブフレーム＃ｋで、送信データＤｔ（ｋ）に対応する無線送信信号Ｓｔ（ｋ）を送信することになる。
【００２２】
受信処理については、従来技術と同様であり、受信サブフレーム＃ｋで受信した無線受信信号Ｓｒ（ｋ）について、まず、無線受信処理回路８が所定の無線受信処理を行う。そして、ＩＦＦＴ／ＦＦＴ回路３が、無線受信処理後の信号にＦＦＴ処理を施し、伝送路復号化回路９が、ＦＦＴ処理後の信号に伝送路復号化処理を施し、受信データを得る。この際、受信サブフレーム＃ｋの受信終了時刻から、次の送信サブフレーム＃ｋの送信処理開始時刻までは、ＩＦＦＴ／ＦＦＴ回路３の処理時間が重ならないよう、処理遅延Ｔｒ分だけ空き時間を設ける。処理遅延Ｔｒは、受信サブフレーム＃ｋの受信終了時刻から、受信サブフレーム＃ｋの間に受信した全ての信号に対して無線受信処理とＦＦＴ処理が終了する時刻まで、の時間である。
【００２３】
つぎに、送信データの分割方法と分割したデータの処理開始時刻について説明する。送信データＤｔ（ｋ−１）を分割したデータをＤｔ０（ｋ−１），Ｄｔ１（ｋ−１）とする。ＩＦＦＴ／ＦＦＴ回路３は、伝送路符号化処理後の送信データＤ１（ｋ−１）に対するＩＦＦＴ処理が終了した後に、伝送路符号化処理後の送信信号Ｄｔ０（ｋ）に対するＩＦＦＴ処理を実施する。この際、伝送路符号化処理後の送信信号Ｄｔ０（ｋ）に対するＩＦＦＴ処理が、受信信号Ｓｒ（ｋ）に対するＦＦＴ処理が開始するまでに終了するよう、Ｄｔ０（ｋ−１）のデータ長と時刻Ｋｔ０とを決定する。
【００２４】
そして、時刻Ｋｔ１，Ｋｔ３は、Ｄｔ１（ｋ）のデータ長さと、伝送路符号化回路１，ＩＦＦＴ／ＦＦＴ回路３，無線送信処理部７の各処理時間と、を考慮して、Ｄｔ１（ｋ）の処理後の無線信号が、送信サブフレーム＃ｋの送信時間帯に送信終了できるような時刻として、設定する。また、時刻Ｋｔ２は、無線送信処理回路７の処理遅延と、Ｄｔ１（ｋ）に対する処理時間を考慮し、無線送信信号Ｓｔ（ｋ）が、送信サブフレームの送信時間帯に送信されるよう適切に設定する。たとえば、Ｍｔ０（ｋ）に対する無線送信処理回路７の処理後の最初の信号が、送信サブフレーム＃ｋの送信時間帯の開始時刻となるように時刻Ｋｔ２を決定する。
【００２５】
従来技術では、無線通信網からの受信信号の受信終了からその受信信号のＦＦＴ処理の処理終了までの時間を処理遅延Ｔｒとし、送信信号のＩＦＦＴ処理の処理開始からその送信信号の無線通信網への送信開始までの時間を処理遅延Ｔｔとするとき、受信時間帯と送信時間帯の切り替えのための空き時間である切り替え時間Ｌｒｔを、Ｔｒ＋Ｔｔ以上とする必要がある。これに対し、本実施の形態では、送信信号Ｍｔ０（ｋ）を得るためのＩＦＦＴ処理の処理時間をＬｔ０とするとき、切り替え時間Ｌｒｔは、Ｔｒ＋Ｔｔ−Ｌｔ０以上とすればよく、従来に比べ切り替え時間Ｌｒｔを短縮することができる。
【００２６】
なお、本実施の形態では、伝送路符号化回路１が送信データを分割するようにした（すなわち伝送路符号化回路１が送信データの分割手段としても機能する）が、これに限らず、送信データを分割するための分割手段を別に備え、分割手段が、分割した送信データを伝送路符号化回路１へ所定のタイミング（Ｋｔ０，Ｋｔ１）で出力するようにしてもよい。
【００２７】
なお、本実施の形態では、Ｄｔ０（ｋ）のデータ長，各処理の開始タイミング（Ｋｔ０，Ｋｔ１など）はあらかじめ求めておくようにしたが、別途タイミングの制御手段を備え、その制御手段が、各処理の処理時間に基づいてＤｔ０（ｋ）のデータ長，各処理の開始タイミングを決定し、その決定結果に基づいて各構成要素が処理を行うようにしてもよい。また、制御手段が、上記の分割手段の機能を有するようにしてもよい。
【００２８】
以上のように、本実施の形態では、送信サブフレーム＃ｋの送信時間帯で送信する送信データを分割することとし、分割した前半のデータが、送信サブフレーム＃ｋ−１の送信時間帯で送信する送信データに対するＩＦＦＴ／ＦＦＴ回路３での処理終了後、受信サブフレーム＃ｋの受信時間帯で受信するデータに対するＩＦＦＴ／ＦＦＴ回路３での処理開始前に、ＩＦＦＴ／ＦＦＴ回路３で処理されるよう分割データの長さと各処理のタイミングを決定するようにした。そのため、回路規模を節約しつつ、処理遅延による伝送効率低下を抑えることができる。
【００２９】
なお、本実施の形態では、ＯＦＤＭ無線送受信回路におけるＦＦＴ／ＩＦＦＴ回路３を共用する場合について説明したが、これに限らず、低域通過フィルタ等の送受信の両方で共用する構成要素について、送信と受信を時分割により処理を行う場合に、同様に共用する構成要素の前段で送信データの分割を行い、処理タイミングの調整を実施することで、本実施の形態と同様の効果を得ることができる。
【００３０】
実施の形態２．
図３は、本発明にかかる送受信回路の実施の形態２の機能構成例を示す図である。本実施の形態の送受信回路は、実施の形態１の送受信回路のメモリ回路５，送信信号メモリ６を削除し、スイッチ回路１０，受信信号メモリ１１を追加する以外は実施の形態１と同様である。実施の形態１と同様の機能を有する構成要素は、実施の形態１と同一の符号を付して説明を省略する。
【００３１】
スイッチ回路１０は、無線受信処理回路８の出力を伝送路復号化回路９へ出力するか、受信信号メモリ１１に出力するか、を切り替える。また、受信信号メモリ１１は、ＦＦＴ処理を施す前の受信信号を格納するためのメモリである。
【００３２】
図４は、本実施の形態の各処理のタイミングを示すタイミングチャート図である。実施の形態１では、送信データを分割して、切り替え時間Ｌｒｔを短縮するようにしたが、本実施の形態では、受信信号を分割して切り替え時間Ｌｒｔを短縮する。本実施の形態の送信処理は、従来技術と同様であり、１サブフレーム分の送信データＤｔ（ｋ）を伝送路符号化回路１が伝送路符号化する。そして、ＩＦＦＴ／ＦＦＴ回路３が伝送路符号化処理後の送信データにＩＦＦＴ処理を施し、無線送信処理回路７が、ＩＦＦＴ処理後の送信データに所定の無線送信処理を実施して、無線通信網に送信信号Ｓｔ（ｋ）として送信する。
【００３３】
一方、無線受信処理回路８は、受信サブフレーム＃ｋの受信時間帯に受信した受信信号Ｓｒ（ｋ）に所定の受信処理を実施し、処理後のデータをＭｒ０（ｋ）とＭｒ１（ｋ）に分割する。そして、無線受信処理回路８は、時間的に先に受信されたＭｒ０（ｋ）を、ＩＦＦＴ／ＦＦＴ回路３へ出力し、後に受信されたＭｒ１（ｋ）をスイッチ回路１０経由で受信信号メモリ１１へ書き込む。ＩＦＦＴ／ＦＦＴ回路３は、入力されたＭｒ０（ｋ）にＦＦＴ処理を施して伝送路復号化回路９に出力する。伝送路復号化回路９は、ＦＦＴ処理後のデータに伝送路復号化処理を施して送信データＤｒ０（ｋ）を得る。
【００３４】
また、ＩＦＦＴ／ＦＦＴ回路３は、時刻Ｋｒ０から時刻Ｋｒ１の間に、スイッチ回路１０経由で受信信号メモリに格納されているＭｒ１（ｋ）を読み出し、Ｍｒ１（ｋ）に対するＦＦＴ処理を開始し、処理後のデータを伝送路復号化回路９へ出力する。伝送路復号化回路９は、このデータに伝送路復号化処理を施して送信データＤｒ１（ｋ）を得る。そして、既に得られているＤｒ０（ｋ）とＤｒ１（ｋ）を統合して受信データＤｒ（ｋ）を得ることができる。
【００３５】
Ｍｒ１（ｋ）の長さと時刻Ｋｒ０，Ｋｒ１は、ＩＦＦＴ／ＦＦＴ回路３が、送信信号Ｓｔ（ｋ）を得るためのＦＦＴ処理が終了してから、Ｍｒ０（ｋ＋１）に対するＦＦＴ処理の開始までの間に、Ｍｒ１（ｋ）のＦＦＴ処理が実施されるように決定する。
【００３６】
従来技術では、前述のように、切り替え時間Ｌｒｔを、Ｔｒ＋Ｔｔ以上とする必要がある。これに対し、本実施の形態では、送信信号Ｍｒ１（ｋ）を得るためのＦＦＴ処理の処理時間をＬｔ１とするとき、切り替え時間Ｌｒｔは、Ｔｒ＋Ｔｔ−Ｌｔ１以上とすればよく、従来に比べ切り替え時間Ｌｒｔを短縮することができる。
【００３７】
なお、本実施の形態では、無線受信処理回路８が受信信号を分割するようにした（すなわち無線受信処理回路８が送信データの分割手段としても機能する）が、これに限らず、受信信号を分割するための分割手段を別に備え、分割手段が、分割した受信信号をＩＦＦＴ／ＦＦＴ回路３およびスイッチ回路１０へ出力するようにしてもよい。
【００３８】
なお、本実施の形態では、Ｄｒ１（ｋ）のデータ長，各処理の開始タイミング（Ｋｒ００，Ｋｒ１など）はあらかじめ求めておくようにしたが、別途タイミングの制御手段を備え、その制御手段が、各処理の処理時間に基づいてＤｒ１（ｋ）のデータ長，各処理の開始タイミングを決定し、その決定結果に基づいて各構成要素が処理を行うようにしてもよい。また、制御手段が、上記の分割手段の機能を有するようにしてもよい。
【００３９】
以上のように、本実施の形態では、無線受信処理回路８が、無線受信処理後の受信サブフレーム＃ｋの受信時間帯で受信する受信信号を分割することとし、分割した後半のデータが、送信サブフレーム＃ｋの送信時間帯で送信する送信データに対するＩＦＦＴ／ＦＦＴ回路３での処理終了後、受信サブフレーム＃ｋ＋１の受信時間帯で受信するデータに対するＩＦＦＴ／ＦＦＴ回路３での処理開始前に、ＩＦＦＴ／ＦＦＴ回路３で処理されるよう分割データの長さと各処理のタイミングを決定するようにした。そのため、回路規模を節約しつつ、処理遅延による伝送効率低下を抑えることができる。
【００４０】
なお、本実施の形態では、ＯＦＤＭ無線送受信回路におけるＦＦＴ／ＩＦＦＴ回路３を共用する場合について説明したが、これに限らず、低域通過フィルタ等の送受信の両方で共用する構成要素について、送信と受信を時分割により処理を行う場合に、同様に共用する構成要素の前段で受信信号の分割を行い、処理タイミングの調整を実施することにより、本実施の形態と同様の効果を得ることができる。
【産業上の利用可能性】
【００４１】
以上のように、本発明にかかる送受信回路、通信装置および送受信方法は、時分割複信方式を採用する通信システムに有用であり、特に、送信処理と受信処理で共用する回路が存在する場合に適している。
【符号の説明】
【００４２】
１  伝送路符号化回路
２，４，５，１０  スイッチ回路
３  ＩＦＦＴ／ＦＦＴ
６  送信信号メモリ
７  無線送信処理回路
８  無線受信処理回路
９  伝送路復号化回路
１１  受信信号メモリ
【図１】
2010273034.tif 000003
【図２】
2010273034.tif 000004
【図３】
2010273034.tif 000005
【図４】
2010273034.tif 000006